(57)【要約】【課題】  携帯するバッグの収納容積に拘りなく、不使用時のネックウォーマーをバッグ等にチャームとして係着してそのバッグと共に持ち運ぶことが出来るので、ネックウォーマーの置き忘れを著しく低減させることができるチャーム兼用ネックウォーマーの提供を課題とする。【解決手段】  ネックウォーマー１０の不使用時に、ネックウォーマー１０を係止させるための専用の係止器具２０は、ネックウォーマー１０の巻回が可能なネックウォーマー巻回部２１と、バッグＢ１のベルト部３０等に係着可能な係着具２２と、連結部材２３とによって構成されている。ネックウォーマー１０の両端部には、互いに係合可能な係合具がそれぞれ配設されている。ネックウォーマー１０の不使用時には、ネックウォーマー１０をネックウォーマー巻回部２１に係着させる。【選択図】  図６
0003212838.tif 000002
【実用新案登録請求の範囲】
【請求項１】
使用者の首の周囲に巻回した状態で係止可能なネックウォーマーと、該ネックウォーマーの不使用時に当該ネックウォーマーを係止可能な専用の係止器具との組合せにより構成されるチャーム兼用ネックウォーマーであって、
前記ネックウォーマーは、１本の帯状に加工された毛皮の襟巻の形態と同様の形態に形成され且つその長さは成人女性の平均的な首回りの長さと略等しい長さに選ばれ、その長さ方向の両端部には着脱自在に係合可能な１対の係合具のそれぞれが配設され、
前記専用の係止器具は、前記ネックウォーマーが複数回巻回可能な太さの１本の棒状部材によって形成された全体の形状が円形または多角形の形状であるネックウォーマー巻回部と、バッグの金具やパンツのベルト通し部等に着脱自在に係着可能な係着具と、該係着具と前記ネックウォーマー巻回部とを連結する連結部材とによって構成されていることを特徴とするチャーム兼用ネックウォーマー。
【考案の詳細な説明】
【技術分野】
【０００１】
本考案は、ネックウォーマーの不使用時には、バッグ等のアクセサリーであるチャームとしてそのバッグ等と共に持ち運ぶことが出来るチャーム兼用ネックウォーマーに関するものである。
【背景技術】
【０００２】
従来から寒冷時の防寒具であるネックウォーマーとしては、図８（ａ）に示したような毛皮の襟巻８０が広く用いられている。このような毛皮の襟巻８０の構成は一般的には、図８（ｂ）に示したように、キツネ等の毛皮を１本の帯状となるように加工したものであり、その長さ方向の一端側には、他端側を挟持可能なクリップ８１が配設されている。
【０００３】
図８（ａ）に示したように、使用者Ｗは、毛皮の襟巻８０を自らの首に巻きつけクリップ８１に毛皮の襟巻８０の他端側を挟持させることによって、この毛皮の襟巻８０をネックウォーマーとして使用する。
【０００４】
このような使用者Ｗが、暖房の効いた室内等に入ったような場合には、使用者Ｗは他端側を挟持しているクリップ８１を開いて毛皮の襟巻８０を自らの首から外す。
【考案の概要】
【考案が解決しようとする課題】
【０００５】
暖房の効いた室内に入った毛皮の襟巻８０の使用者Ｗが毛皮の襟巻８０を外した場合、その外した毛皮の襟巻８０を例えば付近のテーブル上に置いたようなときには、その室内での用事を済ませて使用者Ｗが室内から外へ出る退室時に際しては、室内は暖房が効いているのでテーブル上に置いた毛皮の襟巻８０の存在を使用者Ｗが失念してしまい、そのまま置き忘れてしまう事がしばしば起こる。
【０００６】
このような置き忘れを防ぐためには、使用者Ｗは毛皮の襟巻８０を外した後、直ぐに携帯しているハンドバッグ等のバッグに収納すればよい。
【０００７】
しかしながら、このような毛皮の襟巻８０の主な使用者である女性は、その日の自らのファッションに合わせて化粧品や携帯電話等を収納するバッグを選択する傾向があり、もし、その日のファッションに合うバッグが、ポシェットのような収納容積の小さいバッグだった場合には、嵩張る毛皮の襟巻８０はそのバッグには収納することができないという問題が生じてしまう。
【課題を解決するための手段】
【０００８】
以上の問題を解決するために、本考案は、使用者の首の周囲に巻回した状態で係止可能なネックウォーマーと、該ネックウォーマーの不使用時に当該ネックウォーマーを係止可能な専用の係止器具との組合せにより構成されるチャーム兼用ネックウォーマーであって、前記ネックウォーマーは、１本の帯状に加工された毛皮の襟巻の形態と同様の形態に形成され且つその長さは成人女性の平均的な首回りの長さと略等しい長さに選ばれ、その長さ方向の両端部には着脱自在に係合可能な１対の係合具のそれぞれが配設され、前記専用の係止器具は、前記ネックウォーマーが複数回巻回可能な太さの１本の棒状部材によって形成された全体の形状が円形または多角形の形状であるネックウォーマー巻回部と、バッグの金具やパンツのベルト通し部等に着脱自在に係着可能な係着具と、該係着具と前記ネックウォーマー巻回部とを連結する連結部材とによって構成されていることを特徴とするものである。
【考案の効果】
【０００９】
本考案によれば、携帯するバッグの収納容積に拘りなく、不使用時のネックウォーマーをバッグ等にチャームとして係着してそのバッグと共に持ち運ぶことが出来るので、ネックウォーマーの置き忘れを著しく低減させることができる。
【図面の簡単な説明】
【００１０】
【図１】本考案の実施例１の構成を示す斜視図である。
【図２】本考案の実施例１に係るネックウォーマーの構成を示す斜視図である。
【図３】本考案の実施例１に係る係止器具の構成を示す斜視図である。
【図４】本考案の実施例１の使用状態の説明図である。
【図５】本考案の実施例１の使用方法の説明図である。
【図６】本考案の実施例１の使用方法の説明図である。
【図７】本考案の実施例１に係る係止器具の構成の説明図である。
【図８】従来の毛皮の襟巻の構成の説明図である。
【考案を実施するための形態】
【００１１】
以下、図面を用いて本考案の実施例について説明する。
【実施例１】
【００１２】
図１は、本考案のチャーム兼用ネックウォーマーに係る実施例１の構成を示した斜視図である。図１に示したチャーム兼用ネックウォーマー１は、図２に示すネックウォーマー１０と、図３に示す専用の係止器具２０とによって構成されている。
【００１３】
図２（ａ），（ｂ）は、本実施例１に係るネックウォーマー１０の構成を示したものである。図２（ａ）に示したように、ネックウォーマー１０は、１本の帯状に加工された従来の毛皮の襟巻（図８参照）と同様の形態となるように形成されている。本実施例１においては、素材として化学繊維を用いてネックウォーマー１０を形成しているが、この素材としてはキツネ等の毛皮を用いてもよい。
【００１４】
ここで、ネックウォーマー１０の長さＬは、成人女性の平均的な首回りの長さと略等しい長さに選ばれている。すなわち、従来の毛皮の襟巻（図８参照）に比して少し短い長さとなっている。これは、図１の状態にしたときに、あまり嵩張らず、従来のチャーム（図４参照）と同じような形態に見えるようにするためである。
【００１５】
このネックウォーマー１０の長さ方向の両端部には、着脱自在に係合可能な１対の係合具１１ａ，１１ｂのそれぞれが配設されている。本実施例１においては、このような１対の係合具１１ａ，１１ｂとして１対の磁石がネックウォーマー１０の長さ方向の両端部の内部に配設されている。この１対の係合具１１ａ，１１ｂは内部に配設された１対の磁石に限られるものではなく、例えば両端部の表面に配設される１対のスナップボタン等のその他の１対の係合具であってもよい。
【００１６】
この１対の係合具によって、ネックウォーマー１０の使用者は、図２（ｂ）に示したようにネックウォーマー１０を首に巻いた状態でネックウォーマー１０を自らの首に係止させることができる。
【００１７】
図３は、本実施例１に係るネックウォーマー専用の係止器具２０の構成を示した図である。この専用の係止器具２０を用いることにより、本実施例１においては、ネックウォーマー１０の不使用時には、図４（ａ），（ｂ）に示したようなバッグＢ１，Ｂ２のアクセサリーとして従来から用いられているチャームＣとして、携帯しているバッグ等にネックウォーマー１０を係着させることができる。
【００１８】
図４に示した既存のチャームＣは、その構成要素である係着具２２によって、図４（ａ）に示したようなバッグＢ１のベルト部３０や、図４（ｂ）に示したようなバッグＢ２の金具４０や、パンツのベルト通し部等に着脱自在に係着することができるように構成されている。
【００１９】
図３に示したように、本実施例１に係る専用の係止器具２０は、ネックウォーマー１０の巻回が可能なネックウォーマー巻回部２１と、バッグの金具やパンツのベルト通し部等に着脱自在に係着可能な従来のチャームＣ（図４参照）にも用いられている係着具２２と、この係着具２２とネックウォーマー巻回部２１とを連結する連結部材２３とによって構成されている。
【００２０】
ここで、ネックウォーマー巻回部２１は、ネックウォーマー１０を複数回巻回することができる太さの１本の棒状部材を円形の形状に加工したものである。
【００２１】
以上のように構成された本実施例１においては、ネックウォーマー１０を使用する場合には、図５（ａ），（ｂ）に示したように、使用者Ｗはネックウォーマー１０を自らの首に巻いて、図５（ｃ）に示したようにネックウォーマー１０の両端部に配設されている１対の係合具１１ａ，１１ｂを係合させネックウォーマー１０を首に係止させた状態にして使用する。ネックウォーマー１０を首から外す場合には、使用者Ｗは、１対の係合具１１ａ，１１ｂの係合状態を解除してネックウォーマー１０を首から外せばよい。
【００２２】
ネックウォーマー１０専用の係止器具２０は、図６（ａ）に示したように携帯するバッグＢ１に係着具２２を用いて予め係着させておく。使用者がネックウォーマー１０を首から外した際、その外したネックウォーマー１０を、図６（ｂ），（ｃ）に示したように係止器具２０のネックウォーマー巻回部２１に１回ないし複数回巻回した後、図６（ｄ）に示したように、ネックウォーマ１０の両端部の１対の係合具を係合させれば、図６（ｅ）に示したように不使用時のネックウォーマー１０を係止器具２０を介して携帯しているバッグＢ１に係着させることができる。
【００２３】
以上のようにして、本実施例１においては、不使用時のネックウォーマー１０を携帯しているバッグＢ１の収納容積に拘りなく、そのバッグＢ１に係着させることができるので、ネックウォーマー１０の置き忘れを防止することができる。このようにバッグＢ１に係着状態になっているネックウォーマー１０は係止器具２０と共に、バッグＢ１のアクセサリーであるチャームとして機能する。
【００２４】
なお、以上説明した本実施例１においては、係止器具２０のネックウォーマー巻回部２１は円形に形成されているが、この巻回部２１の形状は図７（ａ），（ｂ）に示したように三角形や四角形などの多角形に形成してもよい。
【符号の説明】
【００２５】
１  チャーム兼用ネックウォーマー
１０  ネックウォーマー
１１ａ，１１ｂ  係合具
２０  係止器具
２１  ネックウォーマー巻回部
２２  係着具
２３  連結部材
３０  ベルト部
４０  金具
８０  毛皮の襟巻
８１  クリップ
Ｂ１，Ｂ２  バッグ
Ｃ  チャーム
Ｌ  長さ
Ｗ  使用者
【図１】
0003212838.tif 000003
【図２】
0003212838.tif 000004
【図３】
0003212838.tif 000005
【図４】
0003212838.tif 000006
【図５】
0003212838.tif 000007
【図６】
0003212838.tif 000008
【図７】
0003212838.tif 000009
【図８】
0003212838.tif 000010